【手続補正書】
【提出日】令和2年5月29日(2020.5.29)
【手続補正１】
【補正対象書類名】明細書
【補正対象項目名】００８５
【補正方法】変更
【補正の内容】
【００８５】
特性に割り当てられた任意の２つの定量値は、その特性の範囲を構成することができ、所与の特性の全ての記載された定量値から形成される範囲の全ての組み合わせが、本開示において企図されることを理解されたい。
以下、本発明の好ましい実施形態を項分け記載する。
実施形態１
重質油を改良するためのプロセスであって、前記プロセスが、
水素化脱金属反応ゾーンにおいて、前記重質油から金属の少なくとも一部を除去して、水素化脱金属反応流出物を形成することと、
遷移反応ゾーンにおいて、前記水素化脱金属反応流出物から金属の少なくとも一部および窒素の少なくとも一部を除去して、遷移反応流出物を形成することであって、前記遷移反応ゾーンが、前記水素化脱金属反応ゾーンの下流に位置付けられている、遷移反応流出物を形成することと、
水素化脱窒素反応ゾーンにおいて、前記遷移反応流出物から窒素の少なくとも一部を除去して、水素化脱窒素反応流出物を形成することであって、前記水素化脱窒素反応ゾーンが、前記遷移反応ゾーンの下流に位置付けられている、水素化脱窒素反応流出物を形成することと、
水素化分解反応ゾーンにおいて、前記水素化脱窒素反応流出物中の芳香族含有量を低下させて、改良された燃料を形成することと、を含み、
前記水素化分解反応ゾーンが、水素化処理反応ゾーンの下流に位置付けられており、
前記水素化分解反応ゾーンが、メソ細孔性ゼオライトと１つ以上の金属とを含む水素化分解触媒を含み、前記メソ細孔性ゼオライトが、２ｎｍ〜５０ｎｍの平均孔径を有し、
前記水素化脱窒素反応流出物中の前記芳香族含有量が、前記水素化分解反応ゾーンにおいて、前記水素化脱窒素反応流出物を前記水素化分解触媒と接触させることによって低下される、プロセス。
実施形態２
前記水素化分解触媒が、タングステンおよびニッケルを含む、実施形態１に記載のプロセス。
実施形態３
前記水素化分解触媒が、
１８重量％〜２８重量％のタングステンの酸化物または硫化物と、
２重量％〜８重量％のニッケルの酸化物または硫化物と、
５重量％〜４０重量％のゼオライトと、を含む、実施形態１に記載のプロセス。
実施形態４
前記水素化分解触媒が、モリブデンおよびニッケルを含む、実施形態１に記載のプロセス。
実施形態５
前記水素化分解触媒が、
１２重量％〜１８重量％のモリブデンの酸化物または硫化物と、
２重量％〜８重量％のニッケルの酸化物または硫化物と、
５重量％〜４０重量％のゼオライトと、を含む、実施形態１に記載のプロセス。
実施形態６
前記重質油が原油を含み、前記原油が２５度〜５０度の米国石油協会（ＡＰＩ）比重度を有する、実施形態１に記載のプロセス。
実施形態７
前記改良された燃料を処理して、１つ以上の石油化学留分を形成することをさらに含む、実施形態１に記載のプロセス。
実施形態８
前記改良された燃料の前記処理が、水素化分解プロセスを含む、実施形態１に記載のプロセス。
実施形態９
前記改良された燃料の前記処理が、流動接触分解を含む、実施形態１に記載のプロセス。
実施形態１０
重質油を改良するためのプロセスであって、前記プロセスが、
前記重質油を含む流れを、水素化脱金属触媒を含む水素化脱金属反応ゾーンに導入することと、
水素化脱金属反応ゾーンにおいて、前記重質油から金属の少なくとも一部を除去して、水素化脱金属反応流出物を形成することと、
前記水素化脱金属反応流出物を、前記水素化脱金属反応ゾーンから遷移触媒を含む遷移反応ゾーンまで移動させることと、
前記遷移反応ゾーンにおいて、前記水素化脱金属反応流出物から金属の少なくとも一部および窒素の一部を除去して、遷移反応流出物を形成することと、
前記遷移反応流出物を、前記遷移反応ゾーンから水素化脱窒素触媒を含む水素化脱窒素反応ゾーンまで移動させることと、
前記水素化脱窒素反応ゾーンにおいて、前記遷移反応流出物から窒素の少なくとも一部を除去して、水素化脱窒素反応流出物を形成することと、
前記水素化脱窒素反応流出物を、水素化分解触媒を含む水素化分解反応ゾーンに移動させることであって、前記水素化分解触媒が、メソ細孔性ゼオライトと１つ以上の金属とを含み、前記メソ細孔性ゼオライトが、２ｎｍ〜５０ｎｍの平均孔径を有する、水素化分解反応ゾーンに移動させることと、
前記水素化分解反応ゾーンにおいて、前記水素化脱窒素反応流出物中の芳香族含有量を低下させて、改良された燃料を形成することと、を含む、プロセス。
実施形態１１
前記水素化分解触媒が、タングステンおよびニッケルを含む、実施形態１０に記載のプロセス。
実施形態１２
前記水素化分解触媒が、
１８重量％〜２８重量％のタングステンの酸化物または硫化物と、
２重量％〜８重量％のニッケルの酸化物または硫化物と、
５重量％〜４０重量％のゼオライトと、を含む、実施形態１０に記載のプロセス。
実施形態１３
前記水素化分解触媒が、モリブデンおよびニッケルを含む、実施形態１０に記載のプロセス。
実施形態１４
前記水素化分解触媒が、
１２重量％〜１８重量％のモリブデンの酸化物または硫化物と、
２重量％〜８重量％のニッケルの酸化物または硫化物と、
５重量％〜４０重量％のゼオライトと、を含む、実施形態１０に記載のプロセス。
実施形態１５
前記重質油が原油を含み、前記原油が２５度〜５０度の米国石油協会（ＡＰＩ）比重度を有する、実施形態１０に記載のプロセス。
実施形態１６
前記改良された燃料を処理して１つ以上の石油化学留分を形成することをさらに含み、前記改良された燃料の前記処理が、水素化分解プロセス、流動接触分解、またはそれらの両方を含む、実施形態１０に記載のプロセス。
実施形態１７
水素化処理反応器であって、
水素化脱金属触媒と、
前記水素化脱金属触媒の下流に位置付けられた遷移触媒と、
前記遷移触媒の下流に位置付けられた水素化脱窒素触媒と、
前記水素化脱窒素触媒の下流に位置付けられた水素化分解触媒であって、前記水素化分解触媒が、メソ細孔性ゼオライトと１つ以上の金属とを含み、前記メソ細孔性ゼオライトが、２ｎｍ〜５０ｎｍの平均孔径を有する、水素化分解触媒と、を含む、反応器。
実施形態１８
前記水素化分解触媒が、タングステンおよびニッケルを含む、実施形態１７に記載の反応器。
実施形態１９
前記水素化分解触媒が、モリブデンおよびニッケルを含む、実施形態１７に記載の反応器。
実施形態２０
前記反応器が充填床反応器である、実施形態１７に記載の反応器。
実施形態２１
重質油を改良するためのプロセスであって、前記プロセスが、
水素化脱金属反応ゾーンにおいて、前記重質油から金属の少なくとも一部を除去して、水素化脱金属反応流出物を形成することと、
遷移反応ゾーンにおいて、前記水素化脱金属反応流出物から金属の少なくとも一部および窒素の少なくとも一部を除去して、遷移反応流出物を形成することであって、前記遷移反応ゾーンが、前記水素化脱金属反応ゾーンの下流に位置付けられている、遷移反応流出物を形成することと、
水素化脱窒素反応ゾーンにおいて、前記遷移反応流出物から窒素の少なくとも一部を除去して、水素化脱窒素反応流出物を形成することであって、
前記水素化脱窒素反応ゾーンが、前記遷移反応ゾーンの下流に位置付けられており、
前記水素化脱窒素反応ゾーンが、アルミナ支持体上の１つ以上の金属を含む水素化脱窒素触媒を含み、前記アルミナ支持体が、２５ｎｍ〜５０ｎｍの平均孔径を有し、
前記水素化脱窒素反応ゾーンにおいて、前記遷移反応流出物を前記水素化脱窒素触媒と接触させることによって、前記窒素が前記遷移反応流出物から除去される、水素化脱窒素反応流出物を形成することと、
水素化分解反応ゾーンにおいて、前記水素化脱窒素反応流出物中の芳香族含有量を低下させて、改良された燃料を形成することと、を含み、前記水素化分解反応ゾーンが、前記水素化脱窒素反応ゾーンの下流に位置付けられている、プロセス。
実施形態２２
前記遷移反応流出物中の芳香族含有量が、前記水素化脱窒素反応ゾーンにおいて低下される、実施形態２１に記載のプロセス。
実施形態２３
前記水素化脱窒素触媒が、モリブデン、ニッケル、またはそれらの両方を含む、実施形態２１に記載のプロセス。
実施形態２４
前記水素化脱窒素触媒が、モリブデンおよびニッケルを含む、実施形態２１に記載のプロセス。
実施形態２５
前記水素化脱窒素触媒が、
１０重量％〜１８重量％のモリブデンの酸化物または硫化物と、
２重量％〜８重量％のニッケルの酸化物または硫化物と、
７４重量％〜８８重量％のアルミナと、を含む、実施形態２１に記載のプロセス。
実施形態２６
前記重質油が原油を含み、前記原油が２５度〜５０度の米国石油協会（ＡＰＩ）比重度を有する、実施形態２１に記載のプロセス。
実施形態２７
前記改良された燃料を処理して、１つ以上の石油化学留分を形成することをさらに含む、実施形態２１に記載のプロセス。
実施形態２８
前記改良された燃料の前記処理が、水素化分解プロセスを含む、実施形態２１に記載のプロセス。
実施形態２９
前記改良された燃料の前記処理が、流動接触分解を含む、実施形態２１に記載のプロセス。
実施形態３０
前記水素化分解触媒が、メソ細孔性ゼオライトと１つ以上の金属とを含み、前記メソ細孔性ゼオライトが、２ｎｍ〜５０ｎｍの平均孔径を有する、実施形態２１に記載のプロセス。
実施形態３１
重質油を改良するためのプロセスであって、前記プロセスが、
前記重質油を含む流れを、水素化脱金属触媒を含む水素化脱金属反応ゾーンに導入することと、
水素化脱金属反応ゾーンにおいて、前記重質油から金属の少なくとも一部を除去して、水素化脱金属反応流出物を形成することと、
前記水素化脱金属反応流出物を、前記水素化脱金属反応ゾーンから遷移触媒を含む遷移反応ゾーンまで移動させることと、
前記遷移反応ゾーンにおいて、前記水素化脱金属反応流出物から金属の少なくとも一部および窒素の一部を除去して、遷移反応流出物を形成することと、
前記遷移反応流出物を、前記遷移反応ゾーンから、水素化脱窒素触媒を含む水素化脱窒素反応ゾーンまで移動させることであって、前記水素化脱窒素触媒が、アルミナ支持体上の１つ以上の金属を含み、前記アルミナ支持体が、２５ｎｍ〜５０ｎｍの平均孔径を有する、移動させることと、
前記水素化脱窒素反応ゾーンにおいて、前記遷移反応流出物から窒素の少なくとも一部を除去して、水素化脱窒素反応流出物を形成することと、
前記水素化脱窒素反応流出物を、水素化分解触媒を含む水素化分解反応ゾーンまで移動させることと、
前記水素化分解反応ゾーンにおいて、前記水素化脱窒素反応流出物中の芳香族含有量を低下させて、改良された燃料を形成することと、を含み、前記水素化分解反応ゾーンが、水素化分解触媒を含む、プロセス。
実施形態３２
前記水素化脱窒素触媒が、モリブデンおよびニッケルを含む、実施形態３１に記載のプロセス。
実施形態３３
前記水素化分解触媒が、ゼオライトおよび１つ以上の金属を含む、実施形態３１に記載のプロセス。
実施形態３４
前記水素化分解触媒が、メソ細孔性ゼオライトと１つ以上の金属とを含み、前記メソ細孔性ゼオライトが、２ｎｍ〜５０ｎｍの平均孔径を有する、実施形態３１に記載のプロセス。
実施形態３５
前記重質油が原油を含み、前記原油が２５度〜５０度の米国石油協会（ＡＰＩ）比重度を有する、実施形態３１に記載のプロセス。
実施形態３６
水素化処理反応器であって、
水素化脱金属触媒と、
前記水素化脱金属触媒の下流に位置付けられた遷移触媒と、
前記遷移触媒の下流に位置付けられた水素化脱窒素触媒であって、前記水素化脱窒素触媒が、アルミナ支持体上の１つ以上の金属を含み、前記アルミナ支持体が、２５ｎｍ〜５０ｎｍの平均孔径を有する、水素化脱窒素触媒と、
前記水素化脱窒素触媒の下流に位置付けられた水素化分解触媒と、を含む、反応器。
実施形態３７
前記水素化脱窒素触媒が、モリブデンおよびニッケルを含む、実施形態３６に記載の反応器。
実施形態３８
前記モリブデンおよびニッケルが、アルミナ担体上にある、実施形態３６に記載の反応器。
実施形態３９
前記水素化脱窒素触媒が、
１０重量％〜１８重量％のモリブデンの酸化物または硫化物と、
２重量％〜８重量％のニッケルの酸化物または硫化物と、
７４重量％〜８８重量％のアルミナと、を含む、実施形態３６に記載のプロセス。
実施形態４０
前記反応器が充填床反応器である、実施形態３６に記載の反応器。
【手続補正２】
【補正対象書類名】特許請求の範囲
【補正対象項目名】全文
【補正方法】変更
【補正の内容】
【特許請求の範囲】
【請求項１】
重質油を改良するためのプロセスであって、前記プロセスが、
水素化脱金属反応ゾーンにおいて、前記重質油から金属の少なくとも一部を除去して、水素化脱金属反応流出物を形成することと、
遷移反応ゾーンにおいて、前記水素化脱金属反応流出物から金属の少なくとも一部および窒素の少なくとも一部を除去して、遷移反応流出物を形成することであって、前記遷移反応ゾーンが、前記水素化脱金属反応ゾーンの下流に位置付けられている、遷移反応流出物を形成することと、
水素化脱窒素反応ゾーンにおいて、前記遷移反応流出物から窒素の少なくとも一部を除去して、水素化脱窒素反応流出物を形成することであって、前記水素化脱窒素反応ゾーンが、前記遷移反応ゾーンの下流に位置付けられている、水素化脱窒素反応流出物を形成することと、
水素化分解反応ゾーンにおいて、前記水素化脱窒素反応流出物中の芳香族含有量を低下させて、改良された燃料を形成することと、を含み、
前記水素化分解反応ゾーンが、水素化処理反応ゾーンの下流に位置付けられており、
前記水素化分解反応ゾーンが、メソ細孔性ゼオライトと１つ以上の金属とを含む水素化分解触媒を含み、前記メソ細孔性ゼオライトが、２ｎｍ〜５０ｎｍの平均孔径を有し、
前記水素化脱窒素反応流出物中の前記芳香族含有量が、前記水素化分解反応ゾーンにおいて、前記水素化脱窒素反応流出物を前記水素化分解触媒と接触させることによって低下される、プロセス。
【請求項２】
重質油を改良するためのプロセスであって、前記プロセスが、
前記重質油を含む流れを、水素化脱金属触媒を含む水素化脱金属反応ゾーンに導入することと、
水素化脱金属反応ゾーンにおいて、前記重質油から金属の少なくとも一部を除去して、水素化脱金属反応流出物を形成することと、
前記水素化脱金属反応流出物を、前記水素化脱金属反応ゾーンから遷移触媒を含む遷移反応ゾーンまで移動させることと、
前記遷移反応ゾーンにおいて、前記水素化脱金属反応流出物から金属の少なくとも一部および窒素の一部を除去して、遷移反応流出物を形成することと、
前記遷移反応流出物を、前記遷移反応ゾーンから水素化脱窒素触媒を含む水素化脱窒素反応ゾーンまで移動させることと、
前記水素化脱窒素反応ゾーンにおいて、前記遷移反応流出物から窒素の少なくとも一部を除去して、水素化脱窒素反応流出物を形成することと、
前記水素化脱窒素反応流出物を、水素化分解触媒を含む水素化分解反応ゾーンに移動させることであって、前記水素化分解触媒が、メソ細孔性ゼオライトと１つ以上の金属とを含み、前記メソ細孔性ゼオライトが、２ｎｍ〜５０ｎｍの平均孔径を有する、水素化分解反応ゾーンに移動させることと、
前記水素化分解反応ゾーンにおいて、前記水素化脱窒素反応流出物中の芳香族含有量を低下させて、改良された燃料を形成することと、を含む、プロセス。
【請求項３】
前記水素化分解触媒が、タングステンおよびニッケルを含む、請求項１または２に記載のプロセス。
【請求項４】
前記水素化分解触媒が、モリブデンおよびニッケルを含む、請求項１または２に記載のプロセス。
【請求項５】
重質油を改良するためのプロセスであって、前記プロセスが、
水素化脱金属反応ゾーンにおいて、前記重質油から金属の少なくとも一部を除去して、水素化脱金属反応流出物を形成することと、
遷移反応ゾーンにおいて、前記水素化脱金属反応流出物から金属の少なくとも一部および窒素の少なくとも一部を除去して、遷移反応流出物を形成することであって、前記遷移反応ゾーンが、前記水素化脱金属反応ゾーンの下流に位置付けられている、遷移反応流出物を形成することと、
水素化脱窒素反応ゾーンにおいて、前記遷移反応流出物から窒素の少なくとも一部を除去して、水素化脱窒素反応流出物を形成することであって、
前記水素化脱窒素反応ゾーンが、前記遷移反応ゾーンの下流に位置付けられており、
前記水素化脱窒素反応ゾーンが、アルミナ支持体上の１つ以上の金属を含む水素化脱窒素触媒を含み、前記アルミナ支持体が、２５ｎｍ〜５０ｎｍの平均孔径を有し、
前記水素化脱窒素反応ゾーンにおいて、前記遷移反応流出物を前記水素化脱窒素触媒と接触させることによって、前記窒素が前記遷移反応流出物から除去される、水素化脱窒素反応流出物を形成することと、
水素化分解反応ゾーンにおいて、前記水素化脱窒素反応流出物中の芳香族含有量を低下させて、改良された燃料を形成することと、を含み、前記水素化分解反応ゾーンが、前記水素化脱窒素反応ゾーンの下流に位置付けられている、プロセス。
【請求項６】
重質油を改良するためのプロセスであって、前記プロセスが、
前記重質油を含む流れを、水素化脱金属触媒を含む水素化脱金属反応ゾーンに導入することと、
水素化脱金属反応ゾーンにおいて、前記重質油から金属の少なくとも一部を除去して、水素化脱金属反応流出物を形成することと、
前記水素化脱金属反応流出物を、前記水素化脱金属反応ゾーンから遷移触媒を含む遷移反応ゾーンまで移動させることと、
前記遷移反応ゾーンにおいて、前記水素化脱金属反応流出物から金属の少なくとも一部および窒素の一部を除去して、遷移反応流出物を形成することと、
前記遷移反応流出物を、前記遷移反応ゾーンから、水素化脱窒素触媒を含む水素化脱窒素反応ゾーンまで移動させることであって、前記水素化脱窒素触媒が、アルミナ支持体上の１つ以上の金属を含み、前記アルミナ支持体が、２５ｎｍ〜５０ｎｍの平均孔径を有する、移動させることと、
前記水素化脱窒素反応ゾーンにおいて、前記遷移反応流出物から窒素の少なくとも一部を除去して、水素化脱窒素反応流出物を形成することと、
前記水素化脱窒素反応流出物を、水素化分解触媒を含む水素化分解反応ゾーンまで移動させることと、
前記水素化分解反応ゾーンにおいて、前記水素化脱窒素反応流出物中の芳香族含有量を低下させて、改良された燃料を形成することと、を含み、前記水素化分解反応ゾーンが、水素化分解触媒を含む、プロセス。
【請求項７】
前記遷移反応流出物中の芳香族含有量が、前記水素化脱窒素反応ゾーンにおいて低下される、請求項５または６に記載のプロセス。
【請求項８】
前記水素化脱窒素触媒が、モリブデンおよびニッケルを含む、請求項５から７いずれか１項に記載のプロセス。
【請求項９】
前記水素化分解触媒が、メソ細孔性ゼオライトと１つ以上の金属とを含み、前記メソ細孔性ゼオライトが、２ｎｍ〜５０ｎｍの平均孔径を有する、請求項５から８いずれか１項に記載のプロセス。
【請求項１０】
前記重質油が原油を含み、前記原油が２５度〜５０度の米国石油協会（ＡＰＩ）比重度を有する、請求項１から９いずれか１項に記載のプロセス。
【請求項１１】
前記改良された燃料を処理して１つ以上の石油化学留分を形成することをさらに含み、前記改良された燃料の前記処理が、水素化分解プロセス、流動接触分解、またはそれらの両方を含む、請求項１から１０いずれか１項に記載のプロセス。
【請求項１２】
水素化処理反応器であって、
水素化脱金属触媒と、
前記水素化脱金属触媒の下流に位置付けられた遷移触媒と、
前記遷移触媒の下流に位置付けられた水素化脱窒素触媒と、
前記水素化脱窒素触媒の下流に位置付けられた水素化分解触媒であって、前記水素化分解触媒が、メソ細孔性ゼオライトと１つ以上の金属とを含み、前記メソ細孔性ゼオライトが、２ｎｍ〜５０ｎｍの平均孔径を有する、水素化分解触媒と、を含む、反応器。
【請求項１３】
水素化処理反応器であって、
水素化脱金属触媒と、
前記水素化脱金属触媒の下流に位置付けられた遷移触媒と、
前記遷移触媒の下流に位置付けられた水素化脱窒素触媒であって、前記水素化脱窒素触媒が、アルミナ支持体上の１つ以上の金属を含み、前記アルミナ支持体が、２５ｎｍ〜５０ｎｍの平均孔径を有する、水素化脱窒素触媒と、
前記水素化脱窒素触媒の下流に位置付けられた水素化分解触媒と、を含む、反応器。
【請求項１４】
前記反応器が充填床反応器である、請求項１２または１３に記載の反応器。